(57)【要約】      （修正有）【課題】相互に連結される単位印判の上下位置を相対的に調整し、よって単位印判を連結したときの各単位印判の印字面位置をフラットに揃えることができ、良好な印影を得られる連結式印判を提供する。【解決手段】下端に印字体を備え、かつ、側面に連結用凸部を設けると共に反対の側面に連結用凹部６を設けてなる単位印判を複数連結してなる連結式印判であって、それぞれ高さの異なる調節溝を複数設けたスライド部材を前記単位印判の一方の側面にスライド可能に保持させると共に前記調節溝と係合する係止部１３を前記単位印判の他方の側面に設けてなり、前記スライド部材を任意位置にスライドさせた後に複数の単位印判を連結すると前記調節溝が前記係止部１３にて係止され単位印判間の上下位置を微調整できることを特徴とする連結式印判。【選択図】図２
2004322574.tif 000002
【特許請求の範囲】
【請求項１】
下端に印字体を備え、かつ、側面に連結用凸部を設けると共に反対の側面に連結用凹部を設けてなる単位印判を複数連結してなる連結式印判であって、
それぞれ高さの異なる調節溝を複数設けたスライド部材を前記単位印判の一方の側面にスライド可能に保持させると共に前記調節溝と係合する係止部を前記単位印判の他方の側面に設けてなり、
前記スライド部材を任意位置にスライドさせた後に複数の単位印判を連結すると前記調節溝が前記係止部にて係止され単位印判間の上下位置を微調整できることを特徴とする連結式印判。
【発明の詳細な説明】
【０００１】
【発明の属する技術分野】
本発明は、印判本体の下端に印字体を備えた単位印判を複数連結してなる連結式印判に関するものである。
【０００２】
【従来の技術】
印判本体の下端に印字体を備えた単位印判を複数個用意して、単位印判同士をで連結可能とした連結式印判は従来からよく知られている。そして、単位印判同士を連結するための連結方法としては、単位印判の印判本体の側面に設けた凸部と凹部を嵌合することが一般的であり、例えば、実開昭５５−１４６２６３号、実開昭５６−９８４６２号、実開昭５９−８２７５３号などが開示されている。このような連結式印判は単位印判の複数個を連結させた状態で押印することになるが、それぞれの単位印判は日時や場所を別にして製造されることがほとんどであって、印字体の厚みや印字体の組み付け位置などがそれぞれ微妙に異なることが多く、印字面の位置を全く同一に製造することが困難であって、単位印判を複数個連結させた状態で押印すると特定の単位印判の印影がかすれたり、にじんだりしやすい欠点があった。
そこで、印影の濃淡を均一にするために、使用する単位印判の印字体の位置を相対的に上下に調節して印字面がフラットになるように調節するのであるが、１ｍｍ以下の誤差を調節することはほとんど不可能であり、極めて不具合であった。
【０００３】
【特許文献１】
実開昭５５−１４６２６３号公報
【特許文献２】
実開昭５６−９８４６２号公報
【特許文献３】
実開昭５９−８２７５３号公報
【０００４】
【発明が解決しようとする課題】
本発明は、相互に連結される単位印判の上下位置を相対的に調整し、よって単位印判を連結したときの各単位印判の印字面位置をフラットに揃えることができ、良好な印影を得られる連結式印判を提供する。
【０００５】
【課題を解決するための手段】
下端に印字体を備え、かつ、側面に連結用凸部を設けると共に反対の側面に連結用凹部を設けてなる単位印判を複数連結してなる連結式印判であって、
それぞれ高さの異なる調節溝を複数設けたスライド部材を前記単位印判の一方の側面にスライド可能に保持させると共に前記調節溝と係合する係止部を前記単位印判の他方の側面に設けてなり、
前記スライド部材を任意位置にスライドさせた後に複数の単位印判を連結すると前記調節溝が前記係止部にて係止され単位印判間の上下位置を微調整できることを特徴とする連結式印判。
【０００６】
【発明の実施の形態】
以下、本発明の実施の形態を図面に基づいて詳細に説明する。図１から図３までは単位印判を示している。
１は単位印判であって、薄肉状四角柱としたプラスチック製の印判本体２の下端に、多孔性ゴムにインキを含浸させた印字体３を内蔵させてなる印字体ホルダー４を装着してある。また、印判本体２の側面に連結用凸部５を設けると共に、反対の側面に連結用凹部６が設けてある。この単位印判１を複数個用意し、連結用凸部５と連結用凹部６をそれぞれ連結すると連結式印判となる。
また、印判本体２の側面には、指先を引っ掛けて連結式印判の連結の解除を容易にするために、凹状の引掛部１４を設けてある。
【０００７】
前記印判本体２の中央部にはスライド部材保持孔７が設けてあり、印判本体２の一方の側面に弾性力を有する保持爪８を備えたスライド部材９がスライド可能に保持させてある。前記スライド部材９には、上下方向に複数の調節溝１０が設けてあり、個々の調節溝の高さはそれぞれ異なるように設けてある。図４はスライド部材９の一例であるが、下段最左の調節溝の高さは４．２ｍｍ、下段左から２番目の調節溝の高さは４．１ｍｍ、下段中央の調節溝の高さは４．０ｍｍ、下段左から４番目の調節溝の高さは３．９ｍｍ、下段最右の調節溝の高さは３．８ｍｍに設けてある。また、下段の調節溝と対向する位置にも上段の調節溝を設けてあり、上段最左の調節溝の高さは３．８ｍｍ、上段左から２番目の調節溝の高さは３．９ｍｍ、上段中央の調節溝の高さは４．０ｍｍ、上段左から４番目の調節溝の高さは４．１ｍｍ、上段最右の調節溝の高さは４．２ｍｍに設けてある。よって、上下段の対向する調節溝１０間の距離は、すべて同一となっている。また、本実施形態では、前記スライド部材保持孔７は上下２個に分割してあると共に、前記スライド部材９の保持爪８も上下２箇所に分割して設けてある。そして、下側のスライド部材保持孔の上辺には、位置決め溝１１が複数設けてあり、前記スライド部材９の中央部には、位置決め突起１２が設けてある。そして、位置決め突起１２がどの位置決め溝１１に係合しても前記調節溝１０が単位印判の中央に位置できるように設定してある。なお、前記保持爪８には弾力性を付与してあるので、スライド部材９をスライドさせて位置決め突起１２と位置決め溝１１の係合位置を容易に変えることができる。
印判本体２の他方の側面は、前記スライド部材９を収容できるスペースを確保する為に凹状に設定してあり、中央部には係止部１３を設けてある。本実施形態では、前記係止部１３は上下対向する位置に２箇所設けてあり、係止部間の距離は、前記スライド部材９の上下段の対向する調節溝１０間の距離と同一に設定してある。
上記の通り単位印判１は、印判本体２、印字体３を内蔵させてなる印字体ホルダー４、スライド部材９とからなるシンプルな構成となっている。
【０００８】
次に、スライド部材９をスライドさせて真中の調節溝が中央位置に来るようにセットした前記単位印判１を複数個用意し、連結用凸部５と連結用凹部６をそれぞれ連結すると、調節溝１０と係止部１３もそれぞれ係合して連結式印判となる。
この連結した状態で紙等に押印してみると各単位印判の印影に濃淡の差が出現することがある。そうした際は単位印判の連結を一旦解除し、任意の単位印判のスライド部材を任意分だけスライドさせた後、再度単位印判同士を連結させ、再度紙等に押印して印影を確認する。そして、適正な印影を得られるまでこの作業を繰り返し行なう。
ここで、説明を容易にするために２個の単位印判からなる連結式印判の場合について例示する。まず、スライド部材９をスライドさせて真中の調節溝が中央位置に来るようにセットした単位印判Ａ及び単位印判Ｂを用意し、単位印判Ａの連結用凸部５と単位印判Ｂの連結用凹部６を連結すると、単位印判Ａの調節溝１０と単位印判Ｂの係止部１３も係合し、図５のような連結式印判となる。この連結した状態で紙等に押印してみると単位印判Ａ及び単位印判Ｂの印影に濃淡の差が出現することがある。例えば、単位印判Ａの印影は濃すぎて滲んでしまっており、他方単位印判Ｂの印影は薄い場合を想定すると、単位印判Ａの印字面が単位印判Ｂの印字体に比べて相対的に突出したような状態になっている為に単位印判Ａの加重が大きくなって、印影の濃淡が生じていると考えられる。この場合は、単位印判同士の連結を一旦解除し、単位印判Ａのスライド部材９を左方向へ一段階スライドさせた後、再度単位印判Ａと単位印判Ｂを連結させる。そうすると、単位印判Ａの調節溝と単位印判Ｂの係止部の係合位置が０．２ｍｍ分変動し、見掛け上単位印判Ｂの位置が０．２ｍｍ下がったような位置関係となる。これによって単位印判Ａの印字体と単位印判Ｂの印字体の相対的な位置関係が改善され、双方の印字面がフラットな状態となる。この状態で再び紙等に押印して印影を確認すると、印字面の位置がフラットなため、濃淡の無い鮮明な印影を得ることができる。
単位印判Ａの印影が薄く、単位印判Ｂの印影が濃い場合は、単位印判Ａのスライド部材９を右方向へスライドさせた後、再度単位印判Ａと単位印判Ｂを連結させる。そうすると、見掛け上単位印判Ｂの位置が上がったような位置関係となり、双方の印字面がフラットな状態となる。
上記の通り、単位印判Ａと単位印判Ｂは＋０．４ｍｍ〜−０．４ｍｍの範囲で０．２ｍｍずつ上下位置を微調整できることとなる。
本実施形態では、スライド部材の調節溝が上段と下段の対向する位置に２箇所ずつ設けてあるが、上段のみ又は下段のみ１箇所だけでもよい。また、連結用凸部とスライド部材が同じ面にある必要は無く、連結用凸部と連結用凹部を入れ替えても何の支障も無い。また、スライド部材に設ける調節溝の個数や高さは任意に設定することが可能であって、０．１ｍｍ毎やそれ以下に調整できるようにすることも可能である。
【０００９】
図６は、単位印判の両面を保護し、かつ、全体的な見栄えが良くなるように単位印判に連結して用いる保護カバーを、３個の単位印判を連結して連結式印判にした後、その両側面に連結した状態図である。通常保護カバーは、連結用凸部を有する保護カバーと連結用凹部を有する保護カバーを対にして用いられ、保護カバーの下端には、不使用時に連結式印判を持ち上げておくと共に押印時には押印感覚を良好にするための弾性体付き脚体１５を備えている。
【００１０】
【効果】
本発明の連結式印判は、シンプルな構成で少ない部品点数ながら、相互に連結される単位印判の上下位置を１ｍｍ以下の寸法で調整することができるので、日時や場所を異にして製造された単位印判であっても、単位印判同士を連結したときの各単位印判の印字面位置をフラットに揃えることができ、均一で鮮やかな印影を得られる連結式印判を得ることができる。
また、調節溝と係止部が係合する構成となっているため、連結式印判の使用頻度が高い場合でも、単位印判同士の位置ずれが生じず、均一で鮮やかな印影をいつまでも維持できる。
【図面の簡単な説明】
【図１】単位印判の正面斜視図
【図２】単位印判の背面斜視図
【図３】単位印判の断面図
【図４】スライド部材
【図５】単位印判Ａと単位印判Ｂとからなる連結式印判
【図６】保護カバーを連結式印判の両側面に連結した状態図
【符号の説明】
１    単位印判
２    印判本体
３    印字体
４    印字体ホルダー
５    連結用凸部
６    連結用凹部
７    スライド部材保持孔
８    保持爪
９    スライド部材
１０  調節溝
１１  位置決め溝
１２  位置決め突起
１３  係止部
１４  引掛部
１５  弾性体付き脚体
【図１】
2004322574.tif 000003
【図２】
2004322574.tif 000004
【図３】
2004322574.tif 000005
【図４】
2004322574.tif 000006
【図５】
2004322574.tif 000007
【図６】
2004322574.tif 000008